(57)【特許請求の範囲】
【請求項１】
標準モード記録再生用Ｌ’ｃｈヘッドと、前記Ｌ’ｃｈヘッドの１８０°対抗の位置に配置された標準モード記録再生用Ｒ’ｃｈヘッドと、前記Ｒ’ｃｈヘッドとのコンビヘッドとして配置されるヘッド幅２６μｍ未満の３倍モード記録再生Ｌｃｈヘッドと、前記Ｌ’ｃｈヘッドとのコンビヘッドとして配置されるヘッド幅２６μｍ未満の３倍モード記録再生Ｒｃｈヘッドと、前記４つのヘッドを取り付けたシリンダードラムと、３倍モードで記録されたビデオテープの早送り／巻き戻し再生の再生速度が一定速度以上の場合にＲ’ｃｈヘッドとＲｃｈヘッドのみをフィールド毎に切換えてＲ側トラックのみをトレースするようにヘッド切替部に対して制御すると共にＲ側トラックのみを再生するクロマローテーションの向きに固定する制御を映像回路部に対して行う制御部を有するビデオテープレコーダー。
【発明の詳細な説明】
【０００１】
【発明の属する技術分野】
本発明は、標準モード及び３倍モードに対応したビデオテープレコーダーで、３倍モードで記録されたビデオテープを一定速度、例えば２７倍速、以上の早送り／巻き戻し再生（サーチ）を行う際に課題となる色消えを起こすことなく再生可能な一定速度サーチ機能付きビデオテープレコーダーに関するものである。
【０００２】
【従来の技術】
近年、ビデオテープレコーダーはビデオテープの早送り／巻き戻し時間の高速度化が図られ、１２０分テープの早送りや巻き戻しをおよそ１分で行うビデオテープレコーダーも商品化されている。そこで、次に求められるのが、検索機能の充実であり、その一つの手段として早送り／巻き戻し再生、いわゆるサーチ機能の高速度化である。
【０００３】
以下に従来のビデオテープレコーダーについて説明する。
【０００４】
従来の標準モード用、３倍モード用のヘッドをそれぞれ２個づつ有するいわゆる４ヘッドのビデオテープレコーダーでは標準モードの早送り／巻き戻し再生には前述の４個のヘッドを用いてそのヘッド出力に応じてヘッド切り替え、３倍モードでは３倍モード用ヘッド２つだけを用いて早送り／巻き戻し再生を行っていた。図３は従来のビデオテープレコーダーのヘッド切り替えシステムの構成を示すブロック図である。また、図４はシリンダードラムに配置される、４つのビデオヘッドの位置関係を表したものである。図３において、１は標準モード記録再生用Ｌ’ｃｈヘッド、２は標準モード記録再生用Ｒ’ｃｈヘッド、３は３倍モード記録再生用Ｌｃｈヘッド、４は３倍モード記録再生用Ｒｃｈヘッド、５は標準モード記録再生用Ｌ’ｃｈヘッド１、標準モード記録再生用Ｒ’ｃｈヘッド２、３倍モード記録再生用Ｌｃｈヘッド３及び３倍モード記録再生用Ｒｃｈヘッド４を搭載したシリンダードラム、６は標準モード記録再生用Ｌ’ｃｈヘッド１、標準モード記録再生用Ｒ’ｃｈヘッド２、３倍モード記録再生用Ｌｃｈヘッド３及び３倍モード記録再生用Ｒｃｈヘッド４のヘッドで再生された信号をシリンダードラム５を介した後に増幅するプリアンプ部、１０は標準モード記録再生用Ｌ’ｃｈヘッド１、標準モード記録再生用Ｒ’ｃｈヘッド２、３倍モード記録再生用Ｌｃｈヘッド３及び３倍モード記録再生用Ｒｃｈヘッド４で再生されシリンダードラム５を介した後にプリアンプ部６で増幅された信号を切り替えて出力するヘッド切替部、１０１は制御部１１からの指令により標準モード記録再生用Ｌ’ｃｈヘッド１、標準モード記録再生用Ｒ’ｃｈヘッド２で再生しプリアンプ部６で増幅された信号からの信号を切り替える第１のヘッド切替スイッチ、１０２は制御部１１からの指令により３倍モード記録再生用Ｌｃｈヘッド３、３倍モード記録再生用Ｒｃｈヘッド４で再生しプリアンプ部６で増幅された信号からの信号を切り替える第２のヘッド切替スイッチ、１０３は制御部１１からの指令により第１のヘッド切替スイッチ１０１、第２のヘッド切替スイッチ１０２の出力を切り替え映像回路部１３に出力する第３のヘッド切替スイッチ、７は第１のヘッド切替スイッチ１０１の出力を検波する第１の検波部、８は第２のヘッド切替スイッチ１０２の出力を検波する第２の検波部、９は第１の検波部７及び第２の検波部８で検波された信号を比較する比較部、１１はヘッド切替部１０及び映像回路部１３を制御するための制御部、１２は制御部１１に指令を与えるマイコン、１３は制御部１１からの制御を受け第３のヘッド切替スイッチ１０３からの信号を映像信号に変換する映像回路部である。
【０００５】
以上のように構成された従来のビデオテープレコーダーについて、以下その動作について説明する。通常再生では第１のヘッド切替スイッチ１０１、第２のヘッド切替スイッチ１０２はそれぞれのモードに制御部１１によって４つのヘッドが取り付けられたシリンダードラム５の回転位置に応じて切り替えられ、第３のヘッド切替スイッチ１０３はそれぞれのモードによって切り替えられて、再生の出力が映像回路部１３へと送られる。早送り／巻き戻し再生時には、ヘッドはテープパターンを斜めに横切るため、標準モードにおいては４つのヘッドを使い、比較部９によって出力のレベルが比較され、制御部１１によって、より出力の高いヘッドが選択されるように第１のヘッド切替スイッチ１０１、第２のヘッド切替スイッチ１０２が切り替えられる。そうすることにより、ヘッド切り替えポイントでの画質向上を図ることができる。
【０００６】
しかし、３倍モードにおいては、標準モード用ヘッドで３倍モードのトラックを再生すると隣接、隣々接のトラックの成分を多く拾い画質劣化するため、標準モードのように標準、３倍のヘッド切り替えを行わず、３倍モード用ヘッドのみで再生している。
【０００７】
一方、近年のビデオテープレコーダーにおける３倍モードの画質改善の手法として、隣接トラックからの影響を減らすために３倍モード記録再生用ヘッドのヘッド幅をより３倍モードのトラック幅（１９．３μｍ）に近づけるという狭ヘッド化が図られている。
【０００８】
【発明が解決しようとする課題】
しかしながら上記の従来の構成では、３倍モードのトラックを一定速度、例えば２７倍速、以上の早送り／巻き戻し再生時には、３倍モード記録再生用Ｌｃｈヘッド３及び３倍モード記録再生用Ｒｃｈヘッド４で再生するとヘッドがトラックパターンを斜めに横切るためトラックパターンを飛び越す回数が増え、ヘッドで再生出来る信号成分は少なくなりノイズ成分が増加する。この傾向はヘッド幅が狭ければ狭いほど大きい。速度を上げていきノイズ成分があるポイントをこえると、映像回路部１３においてバースト信号に対する色信号の位相外れが発生し、色消えを生じる可能性がある。
【０００９】
これについて図５を用いて説明する。図５は３倍モード用ヘッドにて３倍モードのトラックを早送り再生したときのトラックトレースパターンとエンベロープ波形を示す図である。図５の上段は従来の技術にて早送り再生を行った場合の３倍モード用ヘッドがトラックをトレースするパターンであり、下段はそのときのエンベロープ波形を表す。図５に示すように早送り速度が増すと共に出力されるエンベロープ波形が小さくなり、ノイズ部分が多くなるため、ノイズによって、色消えを起こすことになる。一方、標準モードのように、４つのヘッドを切り替えて再生すると、標準モード用ヘッド側で再生した際に、隣接及び隣々接トラックを拾うため画質劣化が大きいという問題点を有していた。
【００１０】
本発明は上記従来の問題点を解決するもので、３倍モードで記録されたビデオテープを一定速度、例えば２７倍速、以上の早送り／巻き戻し再生（サーチ）を行う際に課題となる色消えを起こすことなく再生可能な高速サーチ機能付きビデオテープレコーダーを提供することを目的とする。
【００１１】
【課題を解決するための手段】
この目的を達成するために本発明のビデオテープレコーダーは、標準モード記録再生用Ｌ’ｃｈヘッドと、前記Ｌ’ｃｈヘッドの１８０°対抗の位置に配置された標準モード記録再生用Ｒ’ｃｈヘッドと、前記Ｒ’ｃｈヘッドとのコンビヘッドとして配置されるヘッド幅２６μｍ未満の３倍モード記録再生Ｌｃｈヘッドと、前記Ｌ’ｃｈヘッドとのコンビヘッドとして配置されるヘッド幅２６μｍ未満の３倍モード記録再生Ｒｃｈヘッドと、前記４つのヘッドを取り付けたシリンダードラムと、３倍モードで記録されたビデオテープの早送り／巻き戻し再生の再生速度が一定速度以上の場合にＲ’ｃｈヘッドとＲｃｈヘッドのみを用いてＲ側トラックのみをトレースするようにヘッド切替部に対して制御すると共にＲ側トラックのみを再生させるように映像回路部に対して制御する制御部を備えた構成を有している。
【００１２】
この構成によって、３倍モードで記録されたビデオテープを一定速度、例えば２７倍速、以上の早送り／巻き戻し再生（サーチ）を行う際にヘッド切り替え装置によってＬ’ｃｈヘッドとＬｃｈヘッドまたはＲ’ｃｈヘッドとＲｃｈヘッドのみを用いて片トラックのみを再生し出画することで、色消えすることなく高速サーチを実現することができる。
【００１３】
【発明の実施の形態】
本発明の請求項１に記載の発明は、標準モード記録再生用Ｌ’ｃｈヘッド及びその１８０°対抗の位置に配置された標準モード記録再生用Ｒ’ｃｈヘッドと、前記Ｒ’ｃｈヘッドとのコンビヘッドとして配置されるヘッド幅２６μｍ未満の３倍モード記録再生Ｌｃｈヘッドと、前記Ｌ’ｃｈヘッドとのコンビヘッドとして配置されるヘッド幅２６μｍ未満の３倍モード記録再生Ｒｃｈヘッドと、前記４つのヘッドを取り付けたシリンダードラムと、３倍モード時の一定速度以上の早送り／巻き戻し再生に際し早送り／巻き戻し再生の再生速度に応じて、制御部がヘッド切替部に対して片側のトラックのみを再生するように制御すると共に、映像回路部に対してクロマローテーション制御を固定して一時停止再生状態で早送り／巻き戻し再生を行わせるヘッド切り替え装置を備えたことを特徴としたものであり、３倍モードで記録されたビデオテープを一定速度、例えば２７倍速、以上の速度で早送り／巻き戻し再生する際に、上記ヘッド切り替え装置を用いることにより、片側のトラック（ＬまたはＲのみ）だけを再生することで映像回路での色消えの発生を押さえるという作用を有する。
【００１４】
以下、本発明のビデオテープレコーダーの実施の形態について、図を用いて説明する。
【００１５】
（実施の形態１）
図１は本発明の実施の形態１におけるビデオテープレコーダーのヘッド切り替えシステムの構成を示すブロック図である。図１において、１は標準モード記録再生用Ｌ’ｃｈヘッド、２は標準モード記録再生用Ｒ’ｃｈヘッド、３は３倍モード記録再生用Ｌｃｈヘッド、４は３倍モード記録再生用Ｒｃｈヘッド、５は標準モード記録再生用Ｌ’ｃｈヘッド１、標準モード記録再生用Ｒ’ｃｈヘッド２、３倍モード記録再生用Ｌｃｈヘッド３及び３倍モード記録再生用Ｒｃｈヘッド４を搭載したシリンダードラム、６は標準モード記録再生用Ｌ’ｃｈヘッド１、標準モード記録再生用Ｒ’ｃｈヘッド２、３倍モード記録再生用Ｌｃｈヘッド３及び３倍モード記録再生用Ｒｃｈヘッド４のヘッドで再生された信号をシリンダードラム５を介した後に増幅するプリアンプ部、１０は標準モード記録再生用Ｌ’ｃｈヘッド１、標準モード記録再生用Ｒ’ｃｈヘッド２、３倍モード記録再生用Ｌｃｈヘッド３及び３倍モード記録再生用Ｒｃｈヘッド４で再生されシリンダードラム５を介した後にプリアンプ部６で増幅された信号を切り替えて出力するヘッド切替部、１０１は制御部１１０からの指令により標準モード記録再生用Ｌ’ｃｈヘッド１、標準モード記録再生用Ｒ’ｃｈヘッド２で再生しプリアンプ部６で増幅された信号からの信号を切り替える第１のヘッド切替スイッチ、１０２は制御部１１０からの指令により３倍モード記録再生用Ｌｃｈヘッド３、３倍モード記録再生用Ｒｃｈヘッド４で再生しプリアンプ部６で増幅された信号からの信号を切り替える第２のヘッド切替スイッチ、１０３は制御部１１０からの指令により第１のヘッド切替スイッチ１０１、第２のヘッド切替スイッチ１０２の出力を切り替え映像回路部１３に出力する第３のヘッド切替スイッチ、７は第１のヘッド切替スイッチ１０１の出力を検波する第１の検波部、８は第２のヘッド切替スイッチ１０２の出力を検波する第２の検波部、９は第１の検波部７及び第２の検波部８で検波された信号を比較する比較部、１１０はヘッド切替部１０及び映像回路部１３を制御するための制御部、１２は制御部１１０に指令を与えるマイコン、１３は制御部１１０からの制御を受け第３のヘッド切替スイッチ１０３からの信号を映像信号に変換する映像回路部である。
【００１６】
以下その動作について説明する。通常再生では第１のヘッド切替スイッチ１０１、第２のヘッド切替スイッチ１０２はそれぞれのモードに制御部１１０によって４つのヘッドが取り付けられたシリンダードラム５の回転位置に応じて切り替えられ、第３のヘッド切替スイッチ１０３はそれぞれのモードによって切り替えられて、再生の出力が映像回路部１３へと送られる。
【００１７】
また、早送り／巻き戻し再生時には、ヘッドはテープパターンを斜めに横切るため、標準モードにおいては４つのヘッドを使い、比較部９によって出力のレベルが比較され、制御部１１０によって、より出力の高いヘッドが選択されるように第１のヘッド切替スイッチ１０１、第２のヘッド切替スイッチ１０２が切り替えられる。そうすることにより、ヘッド切り替えポイントでの画質向上を図ることができる。３倍モードで記録されたテープを早送り／巻き戻し再生する際には、前述した様に、通常再生と同様に標準モード記録再生用Ｒ’ｃｈヘッド２及び３倍モード記録再生用Ｒｃｈヘッド４のみを使用しそのヘッド切り替えは第３のヘッド切替スイッチ１０３にて１フィールドごとに行う。
【００１８】
図２は標準モード用ヘッドにて３倍モードのトラックを早送り再生したときのトラックトレースパターンとエンベロープ波形を示す図である。図２の上段は早送り再生を行った場合の標準モード用ヘッドがトラックをトレースするパターンであり、下段はそのときのエンベロープ波形を表す。標準モード用ヘッドのヘッド幅は３倍モード用ヘッドのそれより大きいため、トレース面積が大きく、その結果、エンベロープ波形が大きくなり、またノイズ部分も減るため、片フィールドについては、充分に再生信号が得られ、たとえ３倍モード用のヘッドで再生する側の信号成分が少なくても、もう片フィールドの信号成分によって、色消えの発生を解消することが可能となる。
【００１９】
そこで、マイコン１２によって、早送り／巻き戻し再生の速度を感知し、一定速度、例えば２７倍速、以上の場合にはヘッド切替部１０の第１のヘッド切替スイッチ１０１及び第２のヘッド切替スイッチ１０２を制御部１１０によって動作させ、Ｒ側トラックのみを再生する場合には第１のヘッド切替スイッチ１０１をＲ’側に、第２のヘッド切替スイッチ１０２をＲ側にして、フィールドごとに、第３のヘッド切替スイッチ１０３を切り替える。同様にＬ側トラックを再生する場合はその逆を行う。すなわち、フィールドごとに、Ｒ側とＬ側に切り替えられるヘッド切り替えの仕様を一時停止再生状態にしてやることで、例えばＲ側に切り換えられた片フィールドは３倍モード用ヘッド４で再生し、もう片フィールドはヘッド切り替えの仕様を一時停止再生状態にしてＲ’側の標準モード用ヘッド２にて再生する。この場合、標準モード用ヘッドのヘッド幅が、トラック幅（１９．３μｍ）に比べ２倍以上あるため、標準モード用ヘッドがＬ側トラックをトレースしている場合であっても同時に隣接トラックであるＲ側トラックをトレースしており、Ｒ側トラックを再生することが可能である。
【００２０】
以上のように本実施の形態によれば、ヘッド幅２６μｍ未満の３倍モード記録再生用ヘッドを使った４ヘッドのビデオテープレコーダーにおいて、３倍モードのトラックを一定速度、例えば２７倍速、以上の早送り／巻き戻し再生する場合には、マイコン１２によって、早送り／巻き戻し再生の再生速度を感知し、制御部１１０に指令を出し、制御部１１０はヘッド切替部１０に対して片側のトラックのみを再生するように第１のヘッド切替スイッチ１０１、第２のヘッド切替スイッチ１０２を制御すると共に映像回路部１３に対して、クロマ処理をＲ側又はＬ側のいずれか一方に固定するためにクロマローテーション制御を固定して、一時停止再生状態で早送り／巻き戻し再生を行わせるヘッド切り替え装置を設けることにより、３倍モード時においても固定された側の標準モード用ヘッドで再生することにより、前記したようにエンベロープ波形が大きくなるとともにノイズ部分も減るため、３倍モード用のヘッドで再生する側の信号成分が少なくても、一定速度以上の早送り／巻き戻し再生時の色消えを解消することができる。
【００２１】
【発明の効果】
以上のように本発明は、３倍モードで記録されたテープを２６μｍ未満の３倍モード用ヘッドを使った４ヘッドのビデオテープレコーダーにおいて、３倍モード時の一定速度以上の早送り／巻き戻し再生に際し早送り／巻き戻し再生の再生速度に応じて、制御部がヘッド切替部に対して片側のトラックのみを再生するように制御すると共に、映像回路部に対してクロマローテーション制御を固定して一時停止再生状態で早送り／巻き戻し再生を行わせるヘッド切り替え装置を設けることにより、一定速度以上の早送り／巻き戻し再生にて色消えを起こすことなく再生することができるという優れた効果が得られる。
【図面の簡単な説明】
【図１】本発明の実施の形態１におけるビデオテープレコーダーのヘッド切り替えシステムの構成を示すブロック図
【図２】標準モード用ヘッドにて３倍モードのトラックを早送り再生したときのトラックトレースパターンとエンベロープ波形を示す図
【図３】従来のビデオテープレコーダーのヘッド切り替えシステムの構成を示すブロック図
【図４】シリンダードラムのヘッド配置図
【図５】３倍モード用ヘッドにて３倍モードのトラックを早送り再生したときのトラックトレースパターンとエンベロープ波形を示す図
【符号の説明】
１  標準モード用Ｌ’ｃｈヘッド
２  標準モード用Ｒ’ｃｈヘッド
３  ３倍モード用Ｌｃｈヘッド
４  ３倍モード用Ｒｃｈヘッド
５  シリンダードラム
６  プリアンプ部
７  第１の検波部
８  第２の検波部
９  比較部
１０  ヘッド切替部
１１０  制御部
１２  マイコン
１３  映像回路部
【図１】
0003985395.tif 000002
【図２】
0003985395.tif 000003
【図３】
0003985395.tif 000004
【図４】
0003985395.tif 000005
【図５】
0003985395.tif 000006